【手続補正書】
【提出日】平成24年6月25日(2012.6.25)
【手続補正１】
【補正対象書類名】特許請求の範囲
【補正対象項目名】全文
【補正方法】変更
【補正の内容】
【特許請求の範囲】
【請求項１】
（Ａ）芳香族ポリカーボネート樹脂１００重量部、（Ｂ）有機スルホン酸金属塩０．０１〜５重量部、（Ｃ）フッ化ポリオレフィン０．０１〜５重量部、（Ｄ）ジエン含有多層構造重合体０．２〜２０重量部を含み、（Ｂ）有機スルホン酸金属塩が、パーフルオロアルカン−スルホン酸金属塩であり、リン系難燃剤の配合量が０．５重量部未満であり、（Ｄ）ジエン含有多層構造重合体が、ブタジエンを含む単量体を重合して得られるゴム状重合体から主としてなる内層と、メタクリル酸エステル系単量体およびアクリル酸エステル系単量体から成る群から選ばれる少なくとも１種以上の単量体を重合して得られる重合体のみからなる外殻層を有する、難燃性ポリカーボネート樹脂組成物。
【請求項２】
（Ａ）芳香族ポリカーボネート樹脂が、２，２−ビス（４−ヒドロキシフェニル）プロパンから誘導されるポリカーボネート樹脂である、請求項１に記載の難燃性ポリカーボネート樹脂組成物。
【請求項３】
（Ａ）芳香族ポリカーボネート樹脂の粘度平均分子量が、１５，０００〜３０，０００である、請求項１に記載の難燃性ポリカーボネート樹脂組成物。
【請求項４】
（Ｂ）有機スルホン酸金属塩の金属がアルカリ金属またはアルカリ土類金属である、請求項１に記載の難燃性ポリカーボネート樹脂組成物。
【請求項５】
（Ｃ）フッ化ポリオレフィンが、ポリテトラフルオロエチレンである、請求項１に記載の難燃性ポリカーボネート樹脂組成物。
【請求項６】
ポリテトラフルオロエチレンが、フィブリル形成能を有するポリテトラフルオロエチレンである、請求項５に記載の難燃性ポリカーボネート樹脂組成物。
【請求項７】
（Ａ）芳香族ポリカーボネート樹脂が、２，２−ビス（４−ヒドロキシフェニル）プロパンから誘導されるポリカーボネート樹脂であり、（Ｂ）有機スルホン酸金属塩が、パーフルオロアルカン−スルホン酸のアルカリ金属塩またはアルカリ土類金属塩であり、（Ｃ）フッ化ポリオレフィンが、ポリテトラフルオロエチレンである、請求項１に記載の難燃性ポリカーボネート樹脂組成物。
【請求項８】
リン系難燃剤の配合量が芳香族ポリカーボネート樹脂１００重量部に対して０．３重量部以下である、請求項１に記載の難燃性ポリカーボネート樹脂組成物。
【請求項９】
リン系難燃剤の配合量が芳香族ポリカーボネート樹脂１００重量部に対して０．１重量部以下である、請求項１に記載の難燃性ポリカーボネート樹脂組成物。
【請求項１０】
リン系難燃剤を実質的に含まない、請求項１に記載の難燃性ポリカーボネート樹脂組成物。
【請求項１１】
（Ａ）芳香族ポリカーボネート樹脂１００重量部、（Ｂ）有機スルホン酸金属塩０．０１〜５重量部、（Ｃ）フッ化ポリオレフィン０．０１〜５重量部、（Ｄ）ジエン含有多層構造重合体０．２〜２０重量部を含み、（Ｂ）有機スルホン酸金属塩が、パーフルオロアルカン−スルホン酸金属塩であり、リン系難燃剤の配合量が０．５重量部未満であり、（Ｄ）ジエン含有多層構造重合体が、ブタジエンを含む単量体を重合して得られるゴム状重合体から主としてなる内層と、メタクリル酸エステル系単量体およびアクリル酸エステル系単量体から成る群から選ばれる少なくとも１種以上の単量体を重合して得られる重合体のみからなる外殻層を有する、難燃性ポリカーボネート樹脂組成物から成る成形品。
【請求項１２】
アイゾット衝撃強度が３９２ｊ／ｍ（４０ｋｇｆｃｍ／ｃｍ）以上である、請求項１１に記載の成形品。
【請求項１３】
荷重撓み温度が１２９℃以上である、請求項１１に記載の成形品。
【手続補正２】
【補正対象書類名】明細書
【補正対象項目名】０００５
【補正方法】変更
【補正の内容】
【０００５】
本発明者らは、上記課題を解決するために鋭意検討を重ねた結果、芳香族ポリカーボネート樹脂に対し、一定量の有機スルホン酸金属塩、フッ化ポリオレフィンおよびジエン含有多層構造重合体を配合することによって、所望の性能を有する優れた難燃性ポリカーボネート樹脂組成物を得ることができることを見出し、本発明を完成するに至った。即ち、本発明によれば、（Ａ）芳香族ポリカーボネート樹脂１００重量部、（Ｂ）有機スルホン酸金属塩としてパーフルオロアルカン−スルホン酸金属塩０．０１〜５重量部、（Ｃ）フッ化ポリオレフィン０．０１〜５重量部、（Ｄ）ジエン含有多層構造重合体０．２〜２０重量部を含み、リン系難燃剤の配合量が０．５重量部未満であり、（Ｄ）ジエン含有多層構造重合体が、ブタジエンを含む単量体を重合して得られるゴム状重合体から主としてなる内層と、メタクリル酸エステル系単量体およびアクリル酸エステル系単量体から成る群から選ばれる少なくとも１種以上の単量体を重合して得られる重合体のみからなる外殻層を有する、難燃性ポリカーボネート樹脂組成物が提供される。
【手続補正３】
【補正対象書類名】明細書
【補正対象項目名】０００７
【補正方法】変更
【補正の内容】
【０００７】
（Ｄ）ジエン含有多層構造重合体は、ブタジエンを含む単量体を重合して得られるゴム状重合体から主としてなる内層とメタクリル酸エステル系単量体およびアクリル酸エステル系単量体から成る群から選ばれる少なくとも１種以上の単量体を重合して得られる重合体のみからなる外殻層とを有する。
【手続補正４】
【補正対象書類名】明細書
【補正対象項目名】０００８
【補正方法】変更
【補正の内容】
【０００８】
本発明の特に好ましい態様においては、（Ａ）芳香族ポリカーボネート樹脂が、２，２−ビス（４−ヒドロキシフェニル）プロパンから誘導されるポリカーボネート樹脂であり、（Ｂ）有機スルホン酸金属塩が、パーフルオロアルカン−スルホン酸のアルカリ金属塩またはアルカリ土類金属塩であり、（Ｃ）フッ化ポリオレフィンが、ポリテトラフルオロエチレンであり、（Ｄ）ジエン含有多層構造重合体が、ブタジエンを含む単量体を重合して得られるゴム状重合体から主としてなる内層と、メタクリル酸エステル系単量体およびアクリル酸エステル系単量体から成る群から選ばれる少なくとも１種以上の単量体を重合して得られる重合体のみからなる外殻層を有する多層構造重合体である。本発明において、リン系難燃剤の配合量は芳香族ポリカーボネート樹脂１００重量部に対して好ましくは０．３重量部以下であり、さらに好ましくは０．１重量部以下であり、特に好ましくはリン系難燃剤は実質的に含まれない。
【手続補正５】
【補正対象書類名】明細書
【補正対象項目名】０００９
【補正方法】変更
【補正の内容】
【０００９】
上記難燃性ポリカーボネート樹脂組成物から成る成形品が提供される。好ましくは、本発明の成形品のアイゾット衝撃強度は３９２ｊ／ｍ（４０ｋｇｆｃｍ／ｃｍ）以上である。好ましくは、本発明の成形品の荷重撓み温度は１２９℃以上である。
【手続補正６】
【補正対象書類名】明細書
【補正対象項目名】００１１
【補正方法】変更
【補正の内容】
【００１１】
以下、本発明につき詳細に説明する。なお、本明細書中で用いる「〜」という表示は、その前後に記載される数値を下限値および上限値として含むものである。本発明の難燃性ポリカーボネート樹脂組成物は、（Ａ）芳香族ポリカーボネート樹脂１００重量部、（Ｂ）有機スルホン酸金属塩としてパーフルオロアルカン−スルホン酸金属塩０．０１〜５重量部、（Ｃ）フッ化ポリオレフィン０．０１〜５重量部、（Ｄ）ジエン含有多層構造重合体０．２〜２０重量部を含み、リン系難燃剤の配合量が０．５重量部未満である。（Ｄ）ジエン含有多層構造重合体は、ブタジエンを含む単量体を重合して得られるゴム状重合体から主としてなる内層と、メタクリル酸エステル系単量体およびアクリル酸エステル系単量体から成る群から選ばれる少なくとも１種以上の単量体を重合して得られる重合体のみからなる外殻層を有する。本発明で用いる芳香族ポリカーボネート樹脂としては、芳香族ヒドロキシ化合物あるいは芳香族ヒドロキシ化合物と少量のポリヒドロキシ化合物との混合物を、ホスゲンまたは炭酸のジエステルと反応させることによって調製される分岐していてもよい熱可塑性芳香族ポリカーボネートのホモポリマーまたはコポリマーが挙げられる。芳香族ポリカーボネート樹脂を調製するための重合方法としては、界面重縮合（ホスゲネーション法）、溶融クック（エステル交換）法等が挙げられる。
【手続補正７】
【補正対象書類名】明細書
【補正対象項目名】００２３
【補正方法】変更
【補正の内容】
【００２３】
本発明で用いるジエン含有多層構造重合体としては、例えば、先の段階の重合体を後の段階の重合体が順次被覆するような連続した多段階シード重合、好ましくは乳化重合によって製造される重合体が挙げられる。ジエン含有多層構造重合体は、重合体構造は内層と外殻層の間に中間層を有する多層構造重合体であってもよく、更に、内層と外側の重合体表面との間で順次組成が変化するような多層構造重合体であってもよい。
【手続補正８】
【補正対象書類名】明細書
【補正対象項目名】００２７
【補正方法】削除
【補正の内容】
【手続補正９】
【補正対象書類名】明細書
【補正対象項目名】００２８
【補正方法】削除
【補正の内容】
【手続補正１０】
【補正対象書類名】明細書
【補正対象項目名】００２９
【補正方法】変更
【補正の内容】
【００２９】
また、この外殻層も、内層（コア）の場合と同様に、架橋性単量体によって架橋されていてもよい。本発明で用いるジエン含有多層構造重合体は、ブタジエンを含む単量体を重合して得られるゴム状重合体からなる内層とメチルメタクリレートを含む単量体を重合して得られる重合体のみからなる外殻層を有する多層構造重合体が挙げられる。